(57)【要約】【課題】部品点数の削減によりコストの低減を図れると共に、小型化も実現できるオス型コネクタを提供する。【解決手段】電線１の先端の被覆５を除去して露出させた導体露出部２を、溶着や半田等によりタブ状に加工し、そのタブ状に加工した導体加工部３を、被覆５の付いた電線１の端末部分を含めて、インサート成形により樹脂製のタブ型のコネクタハウジング１１と一体化して、タブ状の導体加工部３の少なくとも片方の板面を樹脂製のタブ型のコネクタハウジング１１の板面上にコネクタ端子として露出させた。【選択図】図１
2010108764.tif 000002
【特許請求の範囲】
【請求項１】
電線の先端の被覆を除去して露出させた導体露出部を、溶着や半田等によりタブ状に加工し、このタブ状に加工した導体加工部を、被覆の付いた電線の端末部分を含めて、インサート成形により樹脂製のタブ型のコネクタハウジングと一体化して、前記タブ状の導体加工部の少なくとも片方の板面を、前記樹脂製のタブ型のコネクタハウジングの板面上にコネクタ端子として露出させたことを特徴とするオス型コネクタ。
【請求項２】
請求項１に記載のオス型コネクタであって、
前記電線が、複数本の互いに平行に配された導体を被覆で覆ったフラットケーブルであることを特徴とするオス型コネクタ。
【請求項３】
請求項１に記載のオス型コネクタであって、
前記電線が、１本の導体を被覆で覆った単線であることを特徴とするオス型コネクタ。
【請求項４】
請求項１〜３のいずれか１項に記載のオス型コネクタであって、
前記タブ型のコネクタハウジングの先端部に、接続相手側コネクタのメス端子の一対の挟持バネ片間への挿入を容易にするために厚さを先に行くほど小さくした先窄まり形状の差込案内部が設けられ、この差込案内部の後側に続けて、前記タブ型のコネクタハウジングの片方の板面上に切欠部が設けられ、この切欠部に前記タブ状の導体加工部の片方の板面が露出していることを特徴とするオス型コネクタ。
【請求項５】
請求項１〜４のいずれか１項に記載のオス型コネクタであって、
前記タブ型のコネクタハウジングに、接続相手側コネクタのハウジングに対して正規に嵌合したときにロックするロック部が設けられていることを特徴とするオス型コネクタ。
【請求項６】
請求項１〜５のいずれか１項に記載のオス型コネクタであって、
前記タブ型のコネクタハウジングに、接続相手側コネクタのハウジングに対しての前記タブ型のコネクタハウジングの嵌合を安定化させるためのガイド部が設けられていることを特徴とするオス型コネクタ。
【発明の詳細な説明】
【技術分野】
【０００１】
本発明は、オス型コネクタに関するものである。
【背景技術】
【０００２】
従来一般のオス型コネクタは、例えば、特許文献１に記載されているように、電線の先端に取り付けた端子を、予め成形してあるコネクタハウジングの端子収容室に挿入し固定することにより構成されており、相手コネクタの端子と接続するための部品であり且つ電線と接続するための部品でもある端子（以下「端子部品」とも言う）が必須であった。
【特許文献１】特開２００７−８０６５６号公報
【発明の開示】
【発明が解決しようとする課題】
【０００３】
しかし、端子部品を必須とした場合、部品点数の削減によるコスト低減や小型化の試みに限界があった。
【０００４】
本発明は、上記事情を考慮し、部品点数の削減によりコストの低減を図れると共に、小型化も実現できるオス型コネクタを提供することを目的とする。
【課題を解決するための手段】
【０００５】
請求項１の発明のオス型コネクタは、電線の先端の被覆を除去して露出させた導体露出部を、溶着や半田等によりタブ状に加工し、このタブ状に加工した導体加工部を、被覆の付いた電線の端末部分を含めて、インサート成形により樹脂製のタブ型のコネクタハウジングと一体化して、前記タブ状の導体加工部の少なくとも片方の板面を、前記樹脂製のタブ型のコネクタハウジングの板面上にコネクタ端子として露出させたことを特徴とする。
【０００６】
請求項２の発明は、請求項１に記載のオス型コネクタであって、前記電線が、複数本の互いに平行に配された導体を被覆で覆ったフラットケーブルであることを特徴とする。
【０００７】
請求項３の発明は、請求項１に記載のオス型コネクタであって、前記電線が、１本の導体を被覆で覆った単線であることを特徴とする。
【０００８】
請求項４の発明は、請求項１〜３のいずれか１項に記載のオス型コネクタであって、前記タブ型のコネクタハウジングの先端部に、接続相手側コネクタのメス端子の一対の挟持バネ片間への挿入を容易にするために厚さを先に行くほど小さくした先窄まり形状の差込案内部が設けられ、この差込案内部の後側に続けて、前記タブ型のコネクタハウジングの片方の板面上に切欠部が設けられ、この切欠部に前記タブ状の導体加工部の片方の板面が露出していることを特徴とする。
【０００９】
請求項５の発明は、請求項１〜４のいずれか１項に記載のオス型コネクタであって、前記タブ型のコネクタハウジングに、接続相手側コネクタのハウジングに対して正規に嵌合したときにロックするロック部が設けられていることを特徴とする。
【００１０】
請求項６の発明は、請求項１〜５のいずれか１項に記載のオス型コネクタであって、前記タブ型のコネクタハウジングに、接続相手側コネクタのハウジングに対しての前記タブ型のコネクタハウジングの嵌合を安定化させるためのガイド部が設けられていることを特徴とする。
【発明の効果】
【００１１】
請求項１の発明によれば、電線の先端の導体露出部をタブ状に加工することで、直接コネクタ端子として利用しているので、相手コネクタの端子と接続するために従来電線の端末に取り付けていた端子部品が不要であり、部品点数の削減により、コストダウンを図ることができる。また、余計な端子部品を省略しているので、小型化が可能である。また、電線の先端の導体露出部をタブ状に加工したあと、コネクタハウジングをインサート成形するだけで、コネクタを完成させることができるので、組み立ての手間がかからず、製造工程を簡略化することができる。
【００１２】
請求項２の発明によれば、電線がフラットケーブルである場合に、端子部品を使用せずに、簡単にオス型コネクタを作ることができる。
【００１３】
請求項３の発明によれば、電線が単線である場合に、端子部品を使用せずに、簡単にオス型コネクタを作ることができる。
【００１４】
請求項４の発明によれば、差込案内部の後側に続けて設けられた切欠部に、タブ状に加工した導体加工部の片面を露出させているので、相手コネクタ端子の挟持バネ片の間にスムーズにオス型コネクタを差し込むことができ、相手コネクタ端子と電気接続することができる。
【００１５】
請求項５の発明によれば、タブ型のコネクタハウジングにロック部を設けているので、小型化を図りながらも、相手コネクタに嵌合してロックできる、というコネクタに必要な機能を十分に実現できる。
【００１６】
請求項６の発明によれば、タブ型のコネクタハウジングに相手コネクタに対する嵌合を安定化させるガイド部を設けているので、小型でありながらも、スムーズに相手コネクタに嵌合させることができる。
【発明を実施するための最良の形態】
【００１７】
以下、本発明の実施形態を図面を参照して説明する。
【００１８】
図１（ａ）は実施形態のオス型コネクタを作る工程を上から順位に追って示す図、図１（ｂ）は図１（ａ）のＩｂ−Ｉｂ矢視断面図、図２は実施形態のオス型コネクタを相手側のメス型コネクタに接続した状態を示す断面図である。
【００１９】
このオス型コネクタ１０は、簡単にいうと、端子部品を省略し、電線１の先端の導体露出部２をタブ状に加工して、その導体加工部３を直接コネクタ端子として利用したものである。
【００２０】
このオス型コネクタ１０を作るには、まず、図１（ａ）に示すように、電線１の先端の被覆５を除去して露出させた導体露出部２を、溶着や半田等により断面長方形のタブ状に加工する。
【００２１】
この場合の電線１は、複数本の互いに平行に配された導体２を被覆５で覆ったフラットケーブル１Ａであってもよいし、１本の導体露出部２を被覆５で覆った単線１Ｂであってもよい。図示例では、主にフラットケーブルの場合を示している。
【００２２】
次に、そのタブ状に加工した導体加工部３を、被覆５の付いた電線１の端末部分を含めて、インサート成形により樹脂製のタブ型のコネクタハウジング１１と一体化する。そして、図１（ｂ）に示すように、タブ状の導体加工部３の少なくとも片方の板面を、樹脂製のタブ型のコネクタハウジング１１の板面上（図示例では下面）にコネクタ端子として露出させる。
【００２３】
このインサート成形の際に、タブ型のコネクタハウジング１１の先端部には、図２に示すように、メス型コネクタ（接続相手側コネクタ）２０のメス端子２６の一対の挟持バネ片２７、２７間への挿入を容易にするために厚さを先に行くほど小さくした先窄まり形状の差込案内部１３を設けておく。また、その差込案内部１３の後側に続けて、タブ型のコネクタハウジング１１の下面側には切欠部１４を設けておく。そして、その切欠部１４に、タブ状の導体加工部３の片方の板面を露出させる。
【００２４】
また、タブ型のコネクタハウジング１１の上面に、メス型コネクタ２０のハウジング２１に対して正規に嵌合したときにロックするロック部１５を設けると共に、接続相手側コネクタ２０のハウジング２１に対してのタブ型のコネクタハウジング１１の嵌合を安定化させるための凸状のガイド部１６を設けておく。
【００２５】
このようにコネクタハウジング１１をインサート成形することにより、図１（ｂ）に示すような実施形態のオス型コネクタ１０が得られる。
【００２６】
このオス型コネクタ１０は、図２に示すように、メス型コネクタ２０と嵌合することにより、一方側の電線と他方側の電線を電気接続することができる。
【００２７】
ここで用いるメス型コネクタ２０は、樹脂製のコネクタハウジング２１の端子収容室２２の中に、先端に上下一対の挟持バネ片２７、２７を有するメス端子２６を挿入して、ランス２３で係止したものであり、このメス型コネクタ２０にオス型コネクタ１０を差し込むと、メス端子２６の下側の挟持バネ片２７が、オス型コネクタ１０のコネクタハウジング１１から露出している導体加工部３に接触して、コネクタ１０、２０同士の電気接続が達成される。そして、この状態は、オス型コネクタ１０のロック部１５が、メス型コネクタ２０のロックアーム２５にロックすることで、安定的に保持される。
【００２８】
以上の説明のように、本実施形態のオス型コネクタ１０は、電線１の先端の導体露出部２をタブ状に加工することにより、直接コネクタ端子として利用しているので、相手側のメス型コネクタ２０のメス端子２６と接続するために従来電線の端末に取り付けていた端子部品（オス端子）が不要であり、部品点数の削減により、コストダウンを図ることができる。
【００２９】
また、余計な端子部品を省略しているので、小型化が可能である。また、電線１の先端の導体露出部２をタブ状に加工したあと、コネクタハウジング１１をインサート成形するだけで、オス型コネクタ１０を完成させることができるので、組み立ての手間がかからず、製造工程を簡略化することができる。
【００３０】
この場合、電線１がフラットケーブル１Ａである場合にも単線１Ｂである場合にも、端子部品を使用せずに簡単にオス型コネクタ１０を作ることができる。
【００３１】
また、本実施形態のオス型コネクタ１０では、コネクタハウジング１１の先端の差込案内部１３の後側に続けて設けた切欠部１４に、タブ状に加工した導体加工部３の片面を露出させているので、相手側のメス型コネクタ２０のメス端子２６の挟持バネ片２７の間にスムーズにオス型コネクタ１０を差し込むことができ、それにより、コネクタ端子としての役目を果たす導体加工部３を、相手側のメス端子２６と容易に電気接続することができる。
【００３２】
また、本実施形態のオス型コネクタ１０は、タブ型に成形したコネクタハウジング１１の上面にロック部１５を設けているので、小型化を図りながらも、相手側のメス型コネクタ２０に嵌合してロックできる、というコネクタに必要な機能を十分に発揮することができるし、コネクタハウジング１１の上面にガイド部１６を設けているので、小型でありながらも、スムーズに相手側のメス型コネクタ２０に嵌合させることができる。
【図面の簡単な説明】
【００３３】
【図１】（ａ）は本発明の実施形態のオス型コネクタを作る工程を示す図、（ｂ）は（ａ）のＩｂ−Ｉｂ矢視断面図である。
【図２】実施形態のオス型コネクタを相手側のメス型コネクタと接続した状態を示す断面図である。
【符号の説明】
【００３４】
１  電線
１Ａ  フラットケーブル
１Ｂ  単線
２  導体露出部
３  タブ状の導体加工部
５  被覆
１０  オス型コネクタ
１１  タブ型のコネクタハウジング
１３  差込案内部
１４  切欠部
１５  ロック部
１６  ガイド部
２０  メス型コネクタ（接続相手側コネクタ）
２１  コネクタハウジング
２６  メス端子
２７  挟持バネ片
【図１】
2010108764.tif 000003
【図２】
2010108764.tif 000004